(57)【要約】      （修正有）【課題】マッサージ器を提供する。【解決手段】ホストとシート部材２を備え、シート部材２に、外から内へ発熱層とパルス層が設けられており、ホストがシート部材２と結合することでパルス層にパルスを伝送し、発熱層に電流を伝送することができ、発熱層に温度を感知する温度制御スイッチがさらに取付けられており、温度制御スイッチがホストに電気的に接続されている。本考案のマッサージ器は、パルス層及び発熱層がパルス及び熱を発生することができ、低周波パルスで皮膚を刺激してマッサージすることにより、筋肉をトレーニングしたり、体重を減らしたり、運動後の筋肉痛を減軽したりすることができ、発熱及び電子パルスにより、女性の生理痛を減軽したり、冬に保温したりすることができ、又、該マッサージ器の構造が簡単で、歩きながら使用することができ、使用に便利である有益な効果を有する。【選択図】図１
0003214567.tif 000002
【実用新案登録請求の範囲】
【請求項１】
ホスト及びシート部材を備えるマッサージ器であって、
前記シート部材に、外から内へ発熱層とパルス層が設けられおり、前記ホストが前記シート部材と結合することでパルス層にパルスを伝送し、発熱層に電流を伝送することができ、
前記発熱層に温度を感知する温度制御スイッチがさらに取り付けられており、前記温度制御スイッチが前記ホストに電気的に接続されていることを特徴とするマッサージ器。
【請求項２】
前記発熱層は、ＰＥＴ印刷発熱層であり、且つ主に発熱銀ペースト層及び発熱カーボンペースト層から構成され、前記発熱銀ペースト層が発熱電極に接続されていることを特徴とする請求項１に記載のマッサージ器。
【請求項３】
前記パルス層は、ＰＥＴ印刷電子パルス層であり、電子パルス電極に接続されていることを特徴とする請求項２に記載のマッサージ器。
【請求項４】
前記ホストは、制御モジュール、電池モジュール、及びパルス発生モジュールを含み、前記制御モジュールが前記電池モジュール及びパルス発生モジュールに電気的に接続され、前記温度制御スイッチが前記制御モジュールに電気的に接続され、前記電池モジュールが前記発熱層に電気的に接続され、前記パルス発生モジュールが前記パルス層に電気的に接続されていることを特徴とする請求項３に記載のマッサージ器。
【請求項５】
前記ホストが、前記シート部材に設けられた子マグネットボタン及び前記ホストに設けられた親マグネットボタンによって、前記シート部材に接続されていることを特徴とする請求項４に記載のマッサージ器。
【請求項６】
前記発熱電極が３つ、前記電子パルス電極が２つ設けられており、３つの前記発熱電極及び２つの前記電子パルス電極のいずれにも子マグネットボタンが接続され、前記電池モジュール及び前記パルス発生モジュールのいずれにも親マグネットボタンが接続されており、前記親マグネットボタンと前記子マグネットボタンは、数が同じであり、且つ結合箇所が互いに対応していることを特徴とする請求項５に記載のマッサージ器。
【請求項７】
前記シート部材が導電性ヒドロゲルであることを特徴とする請求項１〜６のいずれか一項に記載のマッサージ器。
【請求項８】
前記シート部材が蝶形であることを特徴とする請求項７に記載のマッサージ器。
【考案の詳細な説明】
【技術分野】
【０００１】
本考案は、マッサージ器の構造の分野に関し、具体的には、マッサージ器に関する。
【背景技術】
【０００２】
生活リズムの加速化、生活水準の向上に伴って、人々の健康に対する要求が益々高くなってきている。現在、様々なマッサージ器、例えば、電磁マッサージ器、振動マッサージ器、及び赤外線マッサージ器が市販されており、このようなマッサージ器を使用することにより、筋肉をリラックスさせたり、神経をリラックスさせたり、血液循環を促進したり、細胞代謝を改善したり、皮膚弾力を改善したり、疲れを和らげたり、様々な慢性痛、急性痛及び筋肉痛を減軽したり、体をリラックスさせ、ストレスを解消したり、皮膚のしわを減少したりすることができる。
【０００３】
しかし、従来のマッサージ器は、構造が複雑で、体積が大きく、機能が少なく、使用に不便である。
【考案の概要】
【考案が解決しようとする課題】
【０００４】
本考案は、上記の問題を解決するためにマッサージ器を提供する。該マッサージ器は、シート部材を採用し、ホストによりシート部材に熱及びパルスを発生させることで皮膚を刺激し、また、構造が簡単であり、シート部材が体に貼り付けられることにより、歩きながら筋肉をマッサージすることができ、使用に便利である。
【課題を解決するための手段】
【０００５】
本考案は、以下の技術手段により上記目的を達成する。
ホストとシート部材を備え、上記シート部材に、外から内へ発熱層とパルス層が設けられおり、上記ホストが上記シート部材と結合することでパルス層にパルスを伝送し、発熱層に電流を伝送することができ、
上記発熱層に温度を感知する温度制御スイッチがさらに取付けられており、上記温度制御スイッチが上記ホストに電気的に接続されているマッサージ器。
【０００６】
さらに、上記発熱層は、ＰＥＴ印刷発熱層であり、且つ主に発熱銀ペースト層及び発熱カーボンペースト層から構成され、上記発熱銀ペースト層が発熱電極に接続されている。
【０００７】
さらに、上記パルス層は、ＰＥＴ印刷電子パルス層であり、電子パルス電極に接続されている。
【０００８】
さらに、上記ホストは、制御モジュール、電池モジュール、及びパルス発生モジュールを含み、上記制御モジュールが上記電池モジュール及びパルス発生モジュールに電気的に接続され、上記温度制御スイッチが上記制御モジュールに電気的に接続され、上記電池モジュールが上記発熱層に電気的に接続され、上記パルス発生モジュールが上記パルス層に電気的に接続されている。
【０００９】
さらに、上記ホストと上記シート部材が上記シート部材に設けられた子マグネットボタン及び上記ホストに設けられた親マグネットボタンによって接続されている。
【００１０】
さらに、上記発熱電極が３つ、上記電子パルス電極が２つ設けられており、３つの上記発熱電極及び２つの上記電子パルス電極のいずれにも子マグネットボタンが接続され、上記電池モジュール及び上記パルス発生モジュールのいずれにも親マグネットボタンが接続されており、上記親マグネットボタンと上記子マグネットボタンは、数が同じであり、且つ結合箇所が互いに対応している。
【００１１】
さらに、上記シート部材が導電性ヒドロゲルである。
さらに、上記シート部材が蝶形である。
【００１２】
上記構造によれば、使用する際に、上記ホストにおける親マグネットボタンと上記シート部材における子マグネットボタンを留めると、ホストが上記パルス層及び発熱層に電気的に接続され、ホストが低周波パルスをパルス層に伝送し、低周波パルスで皮膚を刺激してマッサージの目的を達成する一方、ホストが電流を発熱層に伝送してシート部材を発熱させることで、冬に保温の効果を奏する。上記温度制御スイッチは、発熱層の温度を感知でき、所定温度に達した場合に、温度情報を上記ホストにフィードバックすることで、自動的に加熱を停止させ、又は間欠加熱とすることにより、温度が高くなりすぎて皮膚を火傷することを防止する。
【考案の効果】
【００１３】
以上より、本考案の有益な効果は以下の通りである。上記パルス層及び上記発熱層がパルス及び熱を発生することができ、低周波パルスで皮膚を刺激してマッサージすることにより、筋肉をトレーニングしたり、体重を減らしたり、運動後の筋肉痛を減軽したりすることができ、発熱及び電子パルスにより、女性の生理痛を減軽したり、冬に保温したりすることができ、又、該マッサージ器の構造が簡単で、歩きながら使用することができ、使用に便利である。
【図面の簡単な説明】
【００１４】
以下、本考案の実施例又は従来技術の技術法案を分かりやすくするために、実施例又は従来技術に関する図面を簡単に紹介する。以下に述べる図面は本考案のいくつかの実施例に過ぎず、当業者であれば、創造的な労働をすることなく、これらの図面に基づいて他の図面を想到することができる。
【図１】本考案のシート部材の外形図である。
【図２】本考案のホストの構造図である。
【図３】本考案のパルス層及び発熱層の分解構造図である。
【図４】本考案のシート部材の構造図である。
【図５】本考案の構造概略図である。
【考案を実施するための形態】
【００１５】
以下、本考案の目的、技術手段及び利点をより分かりやすくするために、本考案の技術手段を詳しく説明する。以下に説明する実施例は、本考案の実施例の一部に過ぎない。当業者が本考案の実施例に基づいて、創造的な労働をすることなく得られる他の実施形態は、すべて本考案の保護範囲に含まれる。
【００１６】
図１−５に示すように、本考案は、ホスト１とシート部材２を備え、上記シート部材２に、外から内へ発熱層２０２及びパルス層２０３が設けられており、上記ホスト１が上記シート部材２に結合することでパルス層２０３にパルスを伝送し、発熱層２０２に電流を伝送することができ、それにより、上記パルス層２０３がパルスを発生し、上記発熱層２０２が発熱するマッサージ器を提供する。
【００１７】
上記発熱層２０２に温度を感知する温度制御スイッチ２０１がさらに取り付けられており、該温度制御スイッチ２０１は、上記ホスト１に電気的に接続されており、上記発熱層２０２の温度を感知して温度情報をホスト１に送信することができ、それにより、所定温度に達した場合に、上記ホスト１は、自動的に加熱を停止させ、又は間欠加熱とする。
【００１８】
好ましくは、上記発熱層２０２はキャリアとしての機能を有するＰＥＴ印刷発熱層であり、主に発熱銀ペースト層と発熱カーボンペースト層から構成され、上記発熱銀ペースト層が発熱電極に接続されており、上記発熱銀ペースト層及び発熱カーボンペースト層の塗布層は極めて薄く、均一である。
【００１９】
上記パルス層２０３は、ＰＥＴ印刷電子パルス層であり、且つ電子パルス電極に接続され、低周波パルスを発生することができる。
【００２０】
さらに、上記ホスト１は、制御モジュール１０１、電池モジュール１０２、及びパルス発生モジュール１０３を含む。上記制御モジュール１０１は上記電池モジュール１０２及びパルス発生モジュール１０３に電気的に接続され、上記温度制御スイッチ２０１は上記制御モジュール１０１に電気的に接続されている。上記電池モジュール１０２は上記発熱層２０２に電気的に接続され、電流を提供することができる。上記パルス発生モジュール１０３は上記パルス層２０３に電気的に接続され、パルスを伝送することができる。上記電池モジュール１０２として、１５００ミリアンペアのポリマー電池を採用することが好ましい。
【００２１】
上記ホスト１は、上記シート部材２に設けられた子マグネットボタン４及び上記ホスト１に設けられた親マグネットボタン３により、上記シート部材２に接続されている。
【００２２】
上記発熱電極が３つ、上記電子パルス電極が２つ設けられている。３つの上記発熱電極及び２つの上記電子パルス電極のいずれにも子マグネットボタン４が接続され、上記電池モジュール１０２及び上記パルス発生モジュール１０３のいずれにも親マグネットボタン３が接続されている。上記親マグネットボタン３と上記子マグネットボタン４は、数が同じであり、且つ結合箇所が互いに対応している。上記親マグネットボタン３と上記子マグネットボタン４とが結合されることにより、ホスト１とシート部材２とを連通することができる。
【００２３】
さらに、上記シート部材２は導電性ヒドロゲルであり、皮膚に直接接触し、電子パルスを伝送することができる。
上記シート部材２は蝶形である。
【００２４】
上記構造によれば、使用する際に、上記ホスト１における親マグネットボタン３と上記シート部材２における子マグネットボタン４を留めると、ホスト１が上記パルス層２０３及び発熱層２０２に電気的に接続され、ホスト１が低周波パルスをパルス層２０３に伝送し、低周波パルスで皮膚を刺激してマッサージの目的を達成する一方、ホスト１が電流を発熱層２０２に伝送してシート部材２を発熱させることで、冬に保温の効果を奏することができる。また、上記温度制御スイッチ２０１は、発熱層２０２の温度を感知でき、所定温度に達した場合に、温度情報を上記ホスト１にフィードバックすることで、自動的に加熱を停止させ、又は間欠加熱とすることにより、温度が高くなりすぎて皮膚を火傷することを防止する。
【００２５】
上記の説明は、本考案の具体的な実施形態に過ぎず、本考案の保護範囲を限定するものではない。当業者であれば、本考案の開示する技術に基づいて変更又は置換を容易に想到できる。このような変更又は置換後の内容は、全て本考案の保護範囲に含まれるべきである。従って、本考案の保護範囲は、実用新案登録請求の範囲に基づくものである。
【符号の説明】
【００２６】
１、ホスト；１０１、制御モジュール；１０２、電池モジュール；１０３、パルス発生モジュール；２、シート部材；２０１、温度制御スイッチ；２０２、発熱層；２０３、パルス層；３、親マグネットボタン；４、子マグネットボタン。
【図１】
0003214567.tif 000003
【図２】
0003214567.tif 000004
【図３】
0003214567.tif 000005
【図４】
0003214567.tif 000006
【図５】
0003214567.tif 000007